(57)【特許請求の範囲】
【請求項１】
上方が開放する内箱と外箱の間に通風路を形成し、この通風路内に冷却器及び送風機を配置し、そして通風路の庫内背面側の冷気吹出口から庫内正面側の冷気吸込口に向けて吹き出される冷気により庫内を冷却する平型ショーケースであって、
前記外箱の前壁に向って開口し、前記正面側に向って前記開口幅が順次減少する複数の突出段部を有しているハット型の固定金具を備え、
前記内箱の背壁の上縁から冷気吹出口に向けて、冷気を垂直方向から水平方向へ整流する左右に延びる複数のルーバーを、
前記外箱の前壁側から前記正面側に、順次前記突出段部に取り付け、該固定金具を前記外箱の前壁に取り付け、前記ルーバー及び固定金具はネジの螺着により取り付けられ、該ルーバーには、前記固定金具を前記外箱の前壁に取り付けるための通し穴が穿設され、前記冷気吹出口側の端部のルーバーを除いて、前記各ルーバーには、前記固定金具の突出段部が挿通される切欠が設けられていることを特徴とする平型ショーケースにおけるルーバーの支持構造。
【請求項２】
上方が開放する内箱と外箱の間に通風路を形成し、この通風路内に冷却器及び送風機を配置し、そして通風路の庫内背面側の冷気吹出口から庫内正面側の冷気吸込口に向けて吹き出される冷気により庫内を冷却する平型ショーケースであって、
前記外箱の前壁に向って開口し、前記正面側に向って前記開口幅が順次減少する複数の突出段部を有しているハット型の固定金具を備え、
前記内箱の背壁の上縁から冷気吹出口に向けて、冷気を垂直方向から水平方向へ整流する左右に延びる複数のルーバーを、
前記外箱の前壁側から前記正面側に、順次前記突出段部に取り付け、該固定金具を前記外箱の前壁に取り付け、前記ルーバー及び固定金具はネジの螺着により取り付けられ、該ルーバーには、前記固定金具を前記外箱の前壁に取り付けるための通し穴が穿設され、前記冷気吹出口側の端部側を除いて、前記固定金具の各突出段部には、上方から前記ルーバーの端部を挿通可能な切込が形成されていることを特徴とする平型ショーケースにおけるルーバーの支持構造。
【請求項３】
前記固定金具の冷気流通方向の長さは、前記各突出段部にわたって一定であることを特徴とする請求項１または２に記載の平型ショーケースにおけるルーバーの支持構造。
【発明の詳細な説明】
【技術分野】
【０００１】
本発明は、冷気吹出口から冷気吸込口に向けて吹き出される冷気により庫内を冷却する平型ショーケースに関する。
【背景技術】
【０００２】
従来、この種の平型ショーケースとしては、例えば、上方に開口を有する平型ショーケース本体の背面側上部に冷気吹出口が設けられており、平型ショーケース内の冷却機によって生成された冷気を送風機により送風し、冷気吹出口近傍でショーケース背面板に固定金具により取り付けられたルーバーによって冷気を平型ショーケースの庫内に向けて吹き出せるように整流して、ショーケース庫内に冷気を冷気吹出口から吹き出すようにしているものがある（例えば、特許文献１参照）。
【０００３】
【特許文献１】特開２００４−２５１５９５号公報（第４頁、第１図）
【発明の開示】
【発明が解決しようとする課題】
【０００４】
しかしながら、上記特許文献１に記載の平型ショーケースにおけるルーバーの支持構造にあっては、ルーバーを、固定金具を介して支持するには、まず固定金具自体を冷気吹出口内に取り付け、側面視階段状に形成された固定金具に背面側から順次ルーバーを取り付けていかなければならないために、ルーバーの取り付けが容易にできないばかりか、取り付けに時間がかり、使用者は長時間負荷のかかる姿勢で取り付け作業をしなければならないという問題があった。
【０００５】
本発明は、このような問題点に着目してなされたもので、取り付けが容易であり、ルーバーの取り付けを行う使用者にかかる負担が少ない平型ショーケースにおけるルーバーの支持構造を提供することを目的とする。
【課題を解決するための手段】
【０００６】
前記課題を解決するために、本発明の請求項１に記載の平型ショーケースにおけるルーバーの支持構造は、上方が開放する内箱と外箱の間に通風路を形成し、この通風路内に冷却器及び送風機を配置し、そして通風路の庫内背面側の冷気吹出口から庫内正面側の冷気吸込口に向けて吹き出される冷気により庫内を冷却する平型ショーケースであって、
前記外箱の前壁に向って開口し、前記正面側に向って前記開口幅が順次減少する複数の突出段部を有しているハット型の固定金具を備え、
前記内箱の背壁の上縁から冷気吹出口に向けて、冷気を垂直方向から水平方向へ整流する左右に延びる複数のルーバーを、前記外箱の前壁側から前記正面側に、順次前記突出段部に取り付け、該固定金具を前記外箱の前壁に取り付け、前記ルーバー及び固定金具はネジの螺着により取り付けられ、該ルーバーには、前記固定金具を前記外箱の前壁に取り付けるための通し穴が穿設され、前記冷気吹出口側の端部のルーバーを除いて、前記各ルーバーには、前記固定金具の突出段部が挿通される切欠が設けられていることを特徴としている。
この特徴によれば、ルーバーと固定金具を予めサブアセンブリし、かつ、サブアセンブリした固定金具を外箱前壁に取り付けることで、平型ショーケースに対するルーバーの取り付けが容易となる。また、ルーバーの取り付けに要する時間が短縮されるため、使用者が長時間負荷のかかる姿勢で取り付け作業を行う必要がなくなり、使用者に対する負荷が軽減される。また、固定金具の冷気流通方向の長さを長くすることによって、ルーバーを固定金具に複数箇所で螺着して取り付けを強固にすることができる。更に複数のルーバーを固定金具に対して多層状に容易に取り付けることができる。
【０００７】
本発明の請求項２に記載の平型ショーケースにおけるルーバーの支持構造は、上方が開放する内箱と外箱の間に通風路を形成し、この通風路内に冷却器及び送風機を配置し、そして通風路の庫内背面側の冷気吹出口から庫内正面側の冷気吸込口に向けて吹き出される冷気により庫内を冷却する平型ショーケースであって、
前記外箱の前壁に向って開口し、前記正面側に向って前記開口幅が順次減少する複数の突出段部を有しているハット型の固定金具を備え、前記内箱の背壁の上縁から冷気吹出口に向けて、冷気を垂直方向から水平方向へ整流する左右に延びる複数のルーバーを、前記外箱の前壁側から前記正面側に、順次前記突出段部に取り付け、該固定金具を前記外箱の前壁に取り付け、前記ルーバー及び固定金具はネジの螺着により取り付けられ、該ルーバーには、前記固定金具を前記外箱の前壁に取り付けるための通し穴が穿設され、前記冷気吹出口側の端部側を除いて、前記固定金具の各突出段部には、上方から前記ルーバーの端部を挿通可能な切込が形成されていることを特徴としている。
この特徴によれば、ルーバーと固定金具を予めサブアセンブリし、かつ、サブアセンブリした固定金具を外箱前壁に取り付けることで、平型ショーケースに対するルーバーの取り付けが容易となる。また、ルーバーの取り付けに要する時間が短縮されるため、使用者が長時間負荷のかかる姿勢で取り付け作業を行う必要がなくなり、使用者に対する負荷が軽減される。また、固定金具の冷気流通方向の長さを長くすることによって、ルーバーを固定金具に複数箇所で螺着して取り付けを強固にすることができる。更に複数のルーバーに切欠を形成する必要なく、しかもルーバーを固定金具に強固に取り付けることが可能である。
【０００８】
本発明の請求項３に記載の平型ショーケースにおけるルーバーの支持構造は、請求項１または２に記載の平型ショーケースにおけるルーバーの支持構造であって、前記固定金具の冷気流通方向の長さは、前記各突出段部にわたって一定であることを特徴としている。
この特徴によれば、固定金具を、長方形状の板体のプレス成形等により製造することができるので、製作が容易であり、かつ強固な構造体が得られる。
【発明を実施するための最良の形態】
【００１１】
本発明に係る平型ショーケースにおけるルーバーの支持構造を実施するための最良の形態を実施例に基づいて以下に説明する。
【実施例１】
【００１２】
本発明の実施例を図面に基づいて説明すると、先ず図１は、実施例１における平型ショーケースを示す縦断側面図であり、図２は、第１ルーバー及び第２ルーバーが固定金具を介して外箱前壁に取り付けられている状態を示す要部拡大縦断側面図であり、図３（ａ）は、固定金具を示す正面図であり、図３（ｂ）は、固定金具を示す平面図であり、図３（ｃ）は、固定金具を示す側面図であり、図４は、第１ルーバーを示す正面図であり、図５は、第１ルーバーを固定金具に取り付ける状態を示す組立斜視図であり、図６は、第２ルーバーを示す正面図であり、図７は、第２ルーバーを固定金具に取り付ける状態を示す組立斜視図であり、図８は、第１ルーバーと第２ルーバーを固定金具に取り付けた状態を示す正面図であり、図９は、第１ルーバーと第２ルーバーが固定金具を介して外箱前壁に取り付けられている状態を示す要部拡大縦断側面図である。以下、図１、図２、図３（ｃ）、図９の紙面左側を平型ショーケースにおけるルーバー支持構造の正面側とし、図３（ａ）、図４、図６、図８の紙面手前側を平型ショーケースにおけるルーバー支持構造の正面側とし、図３（ｂ）の紙面下方側を平型ショーケースにおけるルーバー支持構造の正面側として説明する。
【００１３】
図１の符号１は、本発明の適用された平型ショーケースである。この平型ショーケース１は、例えば、主に商店やスーパーマーケットやコンビニエンスストア等の食品等を取り扱う販売店舗に複数設置され、商品を低温に保ったまま保冷、または冷凍した状態で陳列するために設置される冷蔵ショーケースである。
【００１４】
図１に示すように、平型ショーケース１は、上方に開口された内箱２と、この内箱２と同じく上方が開口され、内箱２を囲繞するように設けられた外箱３とからなり、外箱３は発砲ウレタン樹脂材等からなる断熱部材と、この断熱部材の表裏面を覆うスチール金属等の表面板と、から構成され、更に、外箱３の背面側上端部にはスチール金属等のカバー体４が取り付けられている。
【００１５】
また、外箱３と内箱２との間には通風路５が形成され、この外箱３と内箱２によってショーケース本体６を成す。この通風路５内には、冷却装置７と送風機８を備えている。更に、上方に開口した内箱２により囲まれた庫内としての冷蔵室９内には、商品を底板１０に陳列可能になっている。
【００１６】
ショーケース本体６の正面側には、通風路５に空気を取り込む冷気吸込口１１が形成されており、ショーケース本体６の背面側には、冷却装置７によって冷却された冷気の冷気吹出口１２が形成されている。この冷気吹出口１２から、送風機８の稼動によって冷却装置７で冷却された冷気が冷気吸込口１１に向って吹き出されて、ショーケース本体６の内箱２の上方への開口を閉塞するエアカーテン１３が形成されている。
【００１７】
このエアカーテン１３の一部が冷蔵室９内に供給されることで、冷蔵室９内は一定の低温を保つことができ、冷蔵室９内に載置される商品（図示省略）を冷蔵・冷凍した状態で陳列できるようになっている。
【００１８】
更に、図２に示すように、通風路５の背面側上端部から冷気吹出口１２にかけて、第１ルーバー１４及び第２ルーバー１５が配置されている。これら第１ルーバー１４及び第２ルーバー１５は、ショーケース本体６の左右方向に延設されるとともに、通風路５内で略垂直に配置される垂直部１４ａ，１５ａと、垂直部１４ａ，１５ａから正面側に屈曲された整流部１４ｂ，１５ｂとからなる側面視略Ｌ字形状に形成されている。尚、垂直部１５ａは、垂直部１４ａよりも上下方向に短く形成されている。
【００１９】
これら第１ルーバー１４及び第２ルーバー１５は、垂直部１４ａ，１５ａで固定金具１６を介して外箱前壁３ａに取り付けられており、垂直部１４ａ，１５ａによって内箱２の背壁の上縁から冷気吹出口１２に向けて、冷気を垂直方向から略水平方向へ整流している。
【００２０】
次に、第１ルーバー１４及び第２ルーバー１５が取り付けられる固定金具１６について図３に基づき説明する。固定金具１６は、略長方形状のスチール金属等の板体をプレス加工することにより製造されており、図３（ｂ）に示すように、外箱３の背壁に向って開口している。
【００２１】
また、固定金具１６の左右両端部は、外箱前壁３ａに取付ネジ１７（図9参照）により取り付けられる取付片１６ａに形成されており、この取付片１６ａには、取付ネジ１７が挿通される取付孔１６ｂが設けられている。更に、固定金具１６の両取付片１６ａの内側端部間には、冷気吹出口１２側（正面側）に向って突出した第１突出段部１６ｃが設けられている。
【００２２】
尚、図３（ａ）に示すように、第１突出段部１６ｃの中央部は、第１突出段部１６ｃの左右端部よりも更に冷気吹出口１２側（正面側）に向って突出した第２突出段部１６ｆが設けられており、第２突出段部１６ｆの正面側は外箱前壁３ａと平行となる第２垂直面１６ｇに形成されている。また、第２垂直面１６ｇの左右に位置する第１突出段部１６ｃの正面側は、第２垂直面１６ｇと同じく外箱前壁３ａと平行となる第１垂直面１６ｄに形成されている。
【００２３】
そして、図３（ａ）及び図３（ｂ）に示すように、第２突出段部１６ｆを挟んで左右に位置する第１突出段部１６ｃの第１垂直面１６ｄには、上下一対の第１螺着孔１６ｅが設けられている。同様に、第２垂直面１６ｇには上下一対の第２螺着孔１６ｈが設けられており、この上下に第２螺着孔１６ｈの中心を結ぶ直線を対称軸として、固定金具１６は左右対称に形成されている。
【００２４】
尚、固定金具１６は、これら第１突出段部１６ｃ及び第２突出段部１６ｆによって、外箱前壁３ａに向って開口した開口幅を正面側（冷気吹出口１２側）に向けて順次減少するように形成され、固定金具１６は平面視ハット型を成している。更に尚、図３（ａ）及び図３（ｃ）に示すように、固定金具１６は、通風路５内での冷気の流通方向、つまり上下方向の長さは、第１突出段部１６ｃ、第２突出段部１６ｆ及び取付片１６ａにわたって、全て一定となっている。したがって、固定金具１６は製作が容易で、強固な構造体となっている。
【００２５】
次に、第１ルーバー１４について説明すると、図４に示すように、第１ルーバー１４の垂直部１４ａの正面視左右端部近傍と中央には、下端部から切欠１４ｃが設けられている。これら切欠１４ｃは、左右長さが固定金具１６の第２突出段部１６ｆが挿通可能な長さに形成されており、上下長さが固定金具１６の上下長さ、つまり、第１突出段部１６ｃ及び第２突出段部１６ｆの上下長さよりも長く形成されている。
【００２６】
また、これら切欠１４ｃの左右には、固定金具１６の取付片１６ａに設けられた取付孔１６ｂよりも大径である通し穴としての第１貫通孔１４ｄが設けられているとともに、各第１貫通孔１４ｄと切欠１４ｃ間には、上下一対の第１挿通孔１４ｅが設けられている。更に、これら切欠１４ｃの上方には第１挿通孔１４ｅと同径のカバー孔１４ｆが設けられている。
【００２７】
尚、これら第１挿通孔１４ｅの上下間隔は固定金具１６の第１垂直面１６ｄに設けられた第１螺着孔１６ｅと同一間隔であるとともに、切欠１４ｃを挟んで隣り合う第１挿通孔１４ｅの左右間隔は、第２突出段部１６ｆを挟んで隣り合う第１螺着孔１６ｅと同一間隔となっている（図３（ａ）参照）。
【００２８】
固定金具１６に第１ルーバー１４を取り付けるには、図５に示すように、先ず、固定金具１６の第２突出段部１６ｆを第１ルーバー１４の切欠１４ｃに挿通させる。そして、第１ルーバー１４の垂直部１４ａ背面と固定金具１６の第１垂直面１６ｄを当接させた後に、それぞれの第１挿通孔１４ｅと第１螺着孔１６ｅの位置合わせを行い、第１挿通孔１４ｅにネジ１８を挿通する。これら第１挿通孔１４ｅに挿通したネジ１８を、第１螺着孔１６ｅにそれぞれ螺着することで、第１ルーバー１４の固定金具１６への取り付けが完了する。
【００２９】
尚、図５では、第１ルーバー１４の正面視右端部近傍における切欠１４ｃでの固定金具１６への取り付けを示しているが、右端部近傍及び中央における切欠１４ｃにおいても同一方法により第１ルーバー１４の固定金具１６への取り付けが行われる。
【００３０】
次に、図６により第２ルーバー１５について説明する。第２ルーバー１５の垂直部１５ａの正面視左右端部近傍と中央には、左右一対の第２貫通孔１５ｃが設けられている。これら第２貫通孔１５ｃは、第１ルーバー１４の垂直部１４ａに設けられた第１貫通孔１４ｄと同径であるとともに、左右間隔も同一に形成されている。
【００３１】
また、一対の第２貫通孔１５ｃ間には、上下一対の第２挿通孔１５ｄが設けられており、その上下間隔は、固定金具１６の第２垂直面１６ｇに設けられた第２螺着孔１６ｈの上下間隔と同一に形成されている。尚、第２ルーバー１５には、第１ルーバー１４のような切欠は設けられていない。
【００３２】
図７に示すように、第２ルーバー１５を固定金具１６に取り付けるには、第１ルーバー１４が固定金具１６に取り付けられた後に、第２ルーバー１５の垂直部１５ａ背面と固定金具１６の第２垂直面１６ｇを当接させる。そして、それぞれの第２挿通孔１５ｄと第２螺着孔１６ｈの位置合わせを行い、第２挿通孔１５ｄにネジ１８を挿通し、第２螺着孔１６ｈにネジ１８を螺着する。以上の手順により第２ルーバー１５と固定金具１６の取り付けが完了する。
【００３３】
尚、第１ルーバー１４の固定金具１６への取り付けと同様に、図７では第２ルーバー１５の正面視右端部近傍における固定金具１６への取り付けを示しているが、右端部近傍及び中央においても同一方法により第２ルーバー１５の固定金具１６への取り付けが行われ、これによって第１ルーバー１４及び第２ルーバー１５と固定金具１６がサブアセンブリされる。
【００３４】
図８に示すように、上述したように第１ルーバー１４及び第２ルーバー１５が固定金具１６に取り付けられると、第１ルーバー１４の第１貫通孔１４ｄと、第２ルーバー１５の第２貫通孔１５ｃが、固定金具１６の取付孔１６ｂと同軸上に配置される。また、第１ルーバー１４のカバー孔１４ｆが整流部１４ｂ，１５ｂ間に位置するように配置される。
【００３５】
そして、図９に示すように、固定金具１６を外箱前壁３ａに取り付ける際には、取付孔１６ｂと同軸上に配置された第１貫通孔１４ｄと第２貫通孔１５ｃから取付ネジ１７を挿通させることで、使用者は取付ネジ１７を取付孔１６ｂに容易に挿通させ、固定金具１６を外箱前壁３ａに対して螺着することができる。以上で第１ルーバー１４及び第２ルーバー１５を固定金具１６を介して外箱前壁３ａへの取り付けが完了する。
【００３６】
尚、図９に示す第１ルーバー１４及び第２ルーバー１５が固定金具１６を介して外箱前壁３ａに取り付けられた状態において、カバー体４を外箱から取り外す場合には、カバー孔１４ｆからカバー体４を螺着しているネジ１９を操作することで、第１ルーバー１４及び第２ルーバー１５を外箱３から外すことなくカバー体４を脱着することができる。
【００３７】
以上説明したように、実施例１における平型ショーケース１においては、第１ルーバー１４及び第２ルーバー１５と固定金具１６を予めサブアセンブリし、かつ、サブアセンブリした固定金具１６を外箱前壁３ａに取り付けることで、ショーケース本体６に対する第１ルーバー１４及び第２ルーバー１５の取り付けが容易となる。また、第１ルーバー１４及び第２ルーバー１５の取り付けに要する時間が短縮されるため、使用者が長時間負荷のかかる姿勢で取り付け作業を行う必要がなくなり、使用者に対する負荷が軽減される。
【００３８】
また、固定金具１６の冷気流通方向の長さが、第１突出段部１６ｃ及び第２突出段部１６ｆにわたって一定であるので、固定金具１６を、長方形状の板体のプレス成形により製造することができる。また、強固な構造体として構成される。
【００３９】
また、第１ルーバー１４及び第２ルーバー１５に、固定金具１６を外箱前壁３ａに取り付けるための第１貫通孔１４ｄ及び第２貫通孔１５ｃを設けることで、第１ルーバー１４及び第２ルーバー１５と固定金具１６をアセンブリした後であっても第１ルーバー１４及び第２ルーバー１５が固定金具１６の取り付けを阻害することがない。更に、固定金具１６の冷気流通方向の長さを長くすることによって、第１ルーバー１４及び第２ルーバー１５を固定金具１６に２箇所以上の複数箇所で螺着して取り付けを強固にすることができる。
【００４０】
また、冷気吹出口１２側の第２ルーバー１５を除いて、第１ルーバー１４には、固定金具１６の第２突出段部１６ｆが挿通される切欠１４ｃが設けられていることによって、複数のルーバーを固定金具１６に対して多層状に取り付けることができる。
【実施例２】
【００４１】
次に、実施例２に係る平型ショーケースにおけるルーバーの支持構造につき、図１０（ａ）〜図１０（ｃ）及び図１１を参照して説明する。尚、前記実施例と同一構成で重複する構成を省略する。図１０（ａ）は、実施例２における固定金具を示す正面図であり、図１０（ｂ）は、固定金具を示す平面図であり、図１０（ｃ）は、固定金具を示す側面図であり、図１１は、第１ルーバーと固定金具の組立を示す組立斜視図である。以下、図１０（ａ）の紙面手前側を平型ショーケースにおけるルーバー支持構造の正面側とし、図１０（ｂ）の紙面下方側を平型ショーケースにおけるルーバー支持構造の正面側とし、図１０（ｃ）の紙面手前側を平型ショーケースにおけるルーバー支持構造の正面側として説明する。
【００４２】
図１０（ａ）〜図１０（ｃ）に示すように、固定金具２０の第１突出段部２０ｃから更に突出する第２突出段部２０ｆの両側片２０ｇの後端部には、固定金具２０の上端部から切欠２０ｈが設けられている。この切欠２０ｈは、側片２０ｇの上端から、取付片２０ａに設けられた取付孔２０ｂの下方までの上下長さを有しており、上方から第１ルーバー２１の垂直部２１ａを挿通可能な前後幅に形成されている（図１１参照）。
【００４３】
図１１に示すように、第１ルーバー２１の垂直部２１ａの正面視左右端部近傍と中央には、左右一対の第１貫通孔２１ｂが設けられており、これら第１貫通孔２１ｂ間には、左右に上下一対の第１挿通孔２１ｃが設けられている。尚、これら第１貫通孔２１ｂは固定金具２０への取り付け時に取付孔２０ｂと同一軸上となるように配置され、第１挿通孔２１ｃは第１螺着孔２０ｅと同一軸上となるように配置される。
【００４４】
そして、第１ルーバー２１を固定金具２０に取り付けるには、固定金具２０の切欠２０ｈに上方から第１ルーバー２１の垂直部２１ａの下端から挿通させ、第１挿通孔２１ｃと第１螺着孔２０ｅを位置合わせした後に、第１挿通孔２１ｃ側から第１螺着孔２０ｅにネジを螺着し、第１ルーバー２１の取り付けを完了する。
【００４５】
第１ルーバー２１取り付け後は、実施例１と同様の手順により第２ルーバー１５を固定金具２０に取り付けた後に、固定金具２０を外箱前壁３ａに取付ネジ１７により螺着することで第１ルーバー２１及び第２ルーバー１５を固定金具２０を介して外箱前壁３ａへの取り付けが完了する。
【００４６】
以上説明したように、実施例２における平型ショーケース１においては、固定金具２０の第２突出段部２０ｆの側片２０ｇ後端部には、上方から第１ルーバー２１の垂直部２１ａ端部を挿通可能な切込２０ｈが形成されているので、第１ルーバー２１を固定金具２０に組み付けるための切欠を形成する必要が無く、また、切込２０ｈに第１ルーバー２１の垂直部２１ａ端部を挿通して第１ルーバー２１と固定金具２０をより強固に取り付けることができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、本発明であるルーバーの支持構造を平型ショーケース１に適用したが、吹出口から吸込口にかけてエアカーテンを形成することで冷蔵室内を一定温度に保つショーケースであれば、ショーケースの形態は問わないのは勿論である。
【００４９】
また、前記実施例では、平型ショーケース１を単体で設置されているものとして説明したが、例えば、同一の平型ショーケース１が一対となった２連式であってもよい。
【００５０】
また、前記実施例１では、固定金具１６に第１突出段部１６ｃ及び第２突出段部１６ｆを設けて第１ルーバー１４及び第２ルーバー１５を取り付けたが、突出段部を更に複数設け、突出段部の数に応じて更にルーバーが取り付けるようにしてもよい。
【００５１】
また、前記実施例２においても、切欠が形成された複数の突出段部を形成して複数のルーバーを取り付けるようにすることも可能である。
【００５２】
また、前記実施例では、ルーバーの左右端部近傍及び中心で固定金具に取り付けたが、ルーバーの長さや重量に応じて、ルーバーが取り付けられる固定金具の数や取り付けられる位置を適宜変更してもよい。
【図面の簡単な説明】
【００５３】
【図１】実施例１における平型ショーケースを示す縦断側面図である。
【図２】第１ルーバー及び第２ルーバーが固定金具を介して外箱前壁に取り付けられている状態を示す要部拡大縦断側面図である。
【図３】（ａ）は、固定金具を示す正面図であり、（ｂ）は、固定金具を示す平面図であり、（ｃ）は、固定金具を示す側面図である。
【図４】第１ルーバーを示す正面図である。
【図５】第１ルーバーを固定金具に取り付ける状態を示す組立斜視図である。
【図６】第２ルーバーを示す正面図である。
【図７】第２ルーバーを固定金具に取り付ける状態を示す組立斜視図である。
【図８】第１ルーバーと第２ルーバーを固定金具に取り付けた状態を示す正面図である。
【図９】第１ルーバーと第２ルーバーが固定金具を介して外箱前壁に取り付けられている状態を示す要部拡大縦断側面図である。
【図１０】（ａ）は、実施例２における固定金具を示す正面図であり、（ｂ）は、固定金具を示す平面図であり、（ｃ）は、固定金具を示す側面図である。
【図１１】第１ルーバーと固定金具の組立を示す組立斜視図である。
【符号の説明】
【００５４】
１                平型ショーケース
３ａ              外箱前壁
１１              冷気吸込口
１４              第１ルーバー
１４ｃ            切欠
１４ｄ            第１貫通孔
１５              第２ルーバー
１５ｃ            第２貫通孔
１６              固定金具
１６ｂ            取付孔
１６ｃ            第１突出段部
１６ｆ            第２突出段部
２０              固定金具
２０ｂ            取付孔
２０ｃ            第１突出段部
２０ｆ            第２突出段部
２０ｇ            側片
２０ｈ            切欠
２１              第１ルーバー
２１ａ            垂直部
２１ｂ            第１貫通孔
【図１】
0005160199.tif 000002
【図２】
0005160199.tif 000003
【図３】
0005160199.tif 000004
【図４】
0005160199.tif 000005
【図５】
0005160199.tif 000006
【図６】
0005160199.tif 000007
【図７】
0005160199.tif 000008
【図８】
0005160199.tif 000009
【図９】
0005160199.tif 000010
【図１０】
0005160199.tif 000011
【図１１】
0005160199.tif 000012